(57)【要約】【解決すべき課題】右手の小指を左人指し指の下から絡ませて握るインターロッキングスタイルのグリップに適応したゴルフ用の手袋を提供する。【課題を解決するための手段】手袋本体２の甲側領域４における人指し指片５と中指片６の間の基端付近を湾曲状に裁断して切欠部１５を形成する。当該切欠部１５を覆うことができる十分な大きさを有する覆い片１７に連続して人指し指用の襠片１８と中指用の襠片１９を設けてなる特殊な一体型襠片１６を用いて甲側領域４と掌側領域３を縫着するようにした。【選択図】図４
2006336137.tif 000002
【特許請求の範囲】
【請求項１】
手袋本体の甲側領域における人指し指片と中指片の間の基端付近を湾曲状に裁断して切欠部を形成し、当該切欠部を覆うことができる十分な大きさを有する覆い片に連続して人指し指用の襠片と中指用の襠片を設けてなる一体型襠片を用いて甲側領域と掌側領域を縫着するようにしたことを特徴とするゴルフ用手袋。
【発明の詳細な説明】
【技術分野】
【０００１】
本発明はインターロッキングスタイルのグリップ（右手の小指を左人指し指の下から絡ませて握るグリップスタイル）に適応したゴルフ用の手袋に関する。
【背景技術】
【０００２】
ゴルフ用手袋は、ゴルファーの掌側を覆う掌側領域と、甲側を覆う甲側領域とを有し、各指部の縫製に際しては、掌側部材と甲側部材の間にそれぞれ襠片を介在させて縫い合わせるようにしている。
【０００３】
次に示す特許文献１の図４に示されているように、掌側領域における各指部と甲側領域における各指部の間に介在させる襠片はそれぞれが独立した構成となっており、縫製に当たっては、各襠片の周縁部と甲側部材及び掌側部材の接合部において縫合すると共に、各指部の間における独立した２枚の襠片の下端部を重ね合わせて縫着することが行われている。
【特許文献１】特開平１１−１８８１２９公報
【発明の開示】
【発明が解決しようとする課題】
【０００４】
前記した襠片のうち、中指部と薬指部の間及び薬指部と小指部の間は、前記したような左右がそれぞれ独立した形状の襠片を用いても特に不都合を生ずることはない。しかしながら、人指し指部と中指部の間に挿着する襠片についてはこれらと事情を異にする。すなわち、右手の小指を左人指し指の下から絡ませて握るインターロッキングスタイルのグリップをとると右手小指の掌側が、前記した襠片同士の縫合糸及び襠片と甲側部材の接合部における縫合糸に当接することとなって違和感を生ずると共に、繰り返し縫い目に当たることによって極端な場合には小指の皮膚が剥けるようなトラブルを生ずることもある。
【０００５】
そこで本発明は、前記した従来型ゴルフ用グローブの不具合点を解消し、人指し指部と中指部の間に特殊な一体型襠片を用いることによって人指し指部と中指部の中間部分に縫合糸が顕れないようにしてインターロッキングスタイルのグリップを継続して行っても、右手小指の掌側に違和感を生ずることがなく、皮膚が剥けるようなトラブルを防止することができるゴルフ用手袋を提供することを目的とするものである。
【課題を解決するための手段】
【０００６】
上記目的を達成するための本発明の構成を詳述すれば、請求項１に係る発明は、手袋本体の甲側領域における人指し指片と中指片の間の基端付近を湾曲状に裁断して切欠部を形成し、当該切欠部を覆うことができる十分な大きさを有する覆い片に連続して人指し指用の襠片と中指用の襠片を設けてなる一体型襠片を用いて甲側領域と掌側領域を縫着するようにしたことを特徴とするゴルフ用手袋である。これによって、人指し指部と中指部の中間部分のみならず甲側領域の人指し指片と中指片の間の基端付近全体に縫合糸が顕れることがなくなり、ゴルファーの右手小指の掌側にダメージを与えることがなくなると共に、素手に近い感触でインターロッキングスタイルのグリップをとることができ、その結果正確なショットが可能となるものである。
【発明の効果】
【０００７】
上記したように、本発明によれば、人指し指部と中指部の中間部分に特殊な一体型襠片を用いているので、インターロッキングスタイルのグリップの場合であってもゴルファーの右手小指掌側が縫い目に当たるようなことがなくなり、右手小指の皮膚が剥けるようなトラブルを回避することができると共に、メンタルなスポーツであるゴルフプレーを違和感なく自然な素手の感覚で楽しむことが可能となる。
【発明を実施するための最良の形態】
【０００８】
以下、図面に基づき本発明に係るゴルフ用手袋の実施形態を詳細に説明する。
【０００９】
図１は縫製前の手袋パーツのうち、掌側領域と甲側領域が人指し指部において繋がった裁断済みボディーの一実施形態を示す展開図であり、図２は縫製前の手袋パーツのうち、人指し指片と中指片の間に適用する一体型襠片の一実施形態を示す展開図である。図３は中指片と薬指片の間及び薬指片と小指片の間に挿着する通常の襠片並びに親指片の一実施形態を示す展開図、図４は各パーツを所定の縫合ラインに沿って縫着して完成させた本発明ゴルフ用手袋の一実施形態を示す斜視図である。
【００１０】
図中１は手袋本体２をなす縫製前の裁断済みボディーの全体を示し、３は当該裁断済みボディー１のうちゴルファーの掌側を覆う掌側領域、４は甲側を覆う甲側領域を示す。裁断済みボディー１をなす材質としては、天然皮革、合成皮革、人工皮革等、従来と同様のものを用いることができる。
【００１１】
５は裁断済みボディー１の甲側領域４に設けられた人指し指片、６は同中指片、７は同薬指片、８は同小指片をそれぞれ示す。９は掌側領域３に設けられた人指し指片、１０は同中指片、１１は同薬指片、１２は同小指片をそれぞれ示す。
【００１２】
なお、図１に示す実施形態においては、掌側領域３と甲側領域４とが、人指し指部において繋がった裁断済みボディーを示しているが、後述するように、本発明の実施にあたっては掌側領域３と甲側領域４が分離独立した裁断済みボディーを用いるようにしてもよいのは勿論である。
【００１３】
１３は裁断済みボディー１の掌側領域３に設けた親指部の取付用通孔であり、当該取付用通孔１３に、図３に示す親指片１４が縫着され、ゴルファーの親指が当該親指袋内に収められる。
【００１４】
１５は手袋本体２の甲側領域４における人指し指片５と中指片６の間の基端付近を比較的大きく湾曲状に裁断して形成した切欠部である。１６はこの切欠部１５を閉塞する覆い片を有すると共に、甲側領域４の人指し指片５と掌側領域３の人指し指片９の間に適用する襠片並びに甲側領域４の中指片６と掌側領域３の中指片１０の間に適用する襠片を連設した特殊な形態を有する一体型襠片を示す。
【００１５】
図２に示すように、一体型襠片１６は手袋本体２の甲側領域４における人指し指片５と中指片６の間の基端付近に形成した湾曲状切欠部１５を覆うことができる十分な大きさを有する覆い片１７を具備すると共に、この覆い片１７に連続して人指し指部の甲側領域４と掌側領域３の間に縫着する人指し指用の襠片１８と、中指部の甲側領域４と掌側領域３の間に縫着する中指用の襠片１９を一体的に連続形成してなる特殊な形態を有している。
【００１６】
手袋本体２の縫製に際し、この一体型襠片１６を取付けるには、図１に示す湾曲状切欠部１５の裏側に、一体型襠片１６の覆い片１７をあてがって、周縁部を縫着すると共に、人指し指用の襠片１８を、甲側領域４の人指し指片５と掌側領域３の人指し指片９の間に位置させて、その各周縁部を縫着する。次いで、中指用の襠片１９を、甲側領域４の中指片６と掌側領域３の中指片１０の間に位置させて、その各周縁部を縫着する。
【００１７】
前記した指片以外の中指片６，１０と薬指片７，１１の間二箇所並びに薬指片７，１１と小指片８，１２の間二箇所には、図３に示す従来と同様形状の襠片２０を用いて各指部を縫製する。
【００１８】
本発明ゴルフ用手袋は、このように手袋本体２をなす甲側領域４における人指し指片５と中指片６の間の基端付近を湾曲状に裁断して切欠部１５を形成し、当該切欠部１５を覆うことができる十分な大きさを有する覆い片１７に連続して人指し指用の襠片１８と中指用の襠片１９を設けてなる特殊な形態の一体型襠片１６を用いて甲側領域４と掌側領域３を縫着するようにしたものである。
【００１９】
したがって、裁断済みボディー１としては、図１に示すような掌側領域３と甲側領域４が人指し指部において繋がった一体型のものだけでなく、掌側領域と甲側領域がそれぞれ別素材によって構成されるようなタイプのゴルフ用手袋にも本発明を適用することができるのは云うまでもなく、手袋本体２の甲側領域４に前記したような一体型襠片１６を用いる限りにおいて、他の部分に改変が加えられたとしても本発明の技術的範囲に含まれるのは勿論である。
【００２０】
本発明ゴルフ用手袋によれば、甲側領域４の人指し指片５及び中指片６の間の基端付近に縫い糸の目が顕れず、右手の小指を左人指し指の下から絡ませて握るインターロッキングスタイルのグリップをとった場合でも、ゴルファーの小指の掌側が糸目に当たることがなく、糸目に当たることによって生起する各種トラブルを有効に防止することができるものである。
【図面の簡単な説明】
【００２１】
【図１】縫製前の手袋パーツのうち、掌側領域と甲側領域が人指し指部において繋がった裁断済みボディーの一実施形態を示す展開図である。
【図２】縫製前の手袋パーツのうち、人指し指片と中指片の間に適用する一体型襠片の一実施形態を示す展開図である。
【図３】中指片と薬指片の間及び薬指片と小指片の間に挿着する通常の襠片並びに親指片の一実施形態を示す展開図である。
【図４】各パーツを所定の縫合ラインに沿って縫着して完成させた本発明ゴルフ用手袋の一実施形態を示す斜視図である。
【符号の説明】
【００２２】
１：裁断済みボディー
２：手袋本体
３：掌側領域
４：甲側領域
５：甲側領域の人指し指片
６：甲側領域の中指片
７：甲側領域の薬指片
８：甲側領域の小指片
９：掌側領域の人指し指片
１０：掌側領域の中指片
１１：掌側領域の薬指片
１２：掌側領域の小指片
１３：取付用通孔
１４：親指片
１５：切欠部
１６：一体型襠片
１７：覆い片
１８：人指し指用の襠片
１９：中指用の襠片
２０：襠片
【図１】
2006336137.tif 000003
【図２】
2006336137.tif 000004
【図３】
2006336137.tif 000005
【図４】
2006336137.tif 000006